(57)【特許請求の範囲】
【請求項１】
複数の券売機により発売される座席券の発売状況を管理する管理センタと、前記管理センタと接続される複数の券売機とからなる座席券発売システムにおいて、
前記管理センタは、第１及び第２の券売機が設置される同一駅で発売可能な同一駅発行可能座席総数Ｔ０を記憶し、
前記第１の券売機は、当該第１の券売機により発売可能な予め設定された発売可能座席数Ａ０を記憶し、この発売可能座席数Ａ０を前記管理センタに対して要求し、
前記第２の券売機は、当該第２の券売機により発売可能な予め設定された発売可能座席数Ｂ０を記憶し、この発売可能座席数Ｂ０を前記管理センタに対して要求し、
前記管理センタは、前記第１の券売機からの要求を受信し、前記第１の券売機に対して発売可能座席数Ａ０及び同一駅発行可能座席総数Ｔ０を送信し、また前記第２の券売機からの要求を受信し、前記第２の券売機に対して発売可能座席数Ｂ０及び同一駅発行可能座席総数Ｔ０を送信し（Ｔ０＞Ａ０＋Ｂ０）、
前記第１の券売機は、前記管理センタからの発売可能座席数Ａ０及び同一駅発行可能座席総数Ｔ０を受信し、発売可能座席数Ａ０及び同一駅発行可能座席総数Ｔ０を表示し、
前記第２の券売機は、前記管理センタからの発売可能座席数Ｂ０及び同一駅発行可能座席総数Ｔ０を受信し、発売可能座席数Ｂ０及び同一駅発行可能座席総数Ｔ０を表示し、
前記第１の券売機は、座席発行による発売可能座席数Ａ０の減少に基づき前記管理センタに対して発売可能座席数の追加数ｍを要求し、
前記第２の券売機は、座席発行による発売可能座席数Ｂ０の減少に基づき前記管理センタに対して発売可能座席数の追加数ｎを要求し、
前記管理センタは、前記第２の券売機からの追加数ｍの要求に対して前記第１の券売機に対して追加数ｒ１（ｍ＝ｒ１）を送信し、前記第２の券売機からの追加数ｎの要求に対して前記第２の券売機に対して追加数ｓ１（ｎ＝ｓ１）を送信し、さらに同一駅発行可能座席総数Ｔ０から前記第１及び第２の券売機により発行された数の総和を減算して得られる同一駅発行可能座席総数Ｔ１を送信し、
前記第１の券売機は、前記管理センタからの追加数ｒ１（ｍ＝ｒ１）及び同一駅発行可能座席総数Ｔ１を受信し、発売可能座席数Ａ０から当該第１の券売機により発行された数を減算し追加数ｒ１（ｍ＝ｒ１）を加算して得られる発売可能座席数Ａ１及び同一駅発行可能座席総数Ｔ１を表示し、
前記第２の券売機は、前記管理センタからの追加数ｓ１（ｎ＝ｓ１）及び同一駅発行可能座席総数Ｔ２を受信し、発売可能座席数Ｂ０から当該第２の券売機により発行された数を減算し受信した追加数ｓ１（ｎ＝ｓ１）を加算して得られる発売可能座席数Ｂ１及び同一駅発行可能座席総数Ｔ１を表示し（Ｔ１＞Ａ１＋Ｂ１）、
前記第１の券売機は、座席発行による発売可能座席数Ａ１の減少に基づき前記管理センタに対して発売可能座席数の追加数ｍを要求し、
前記第２の券売機は、座席発行による発売可能座席数Ｂ１の減少に基づき前記管理センタに対して発売可能座席数の追加数ｎを要求し、
前記管理センタは、前記第２の券売機からの追加数ｍの要求に対して前記第１の券売機に対して追加数ｒ２（ｍ＞ｒ２）を送信し、前記第２の券売機からの追加数ｎの要求に対して前記第２の券売機に対して追加数ｓ２（ｎ＞ｓ２）を送信し、さらに同一駅発行可能座席総数Ｔ０から前記第１及び第２の券売機により発行された数の総和を減算して得られる同一駅発行可能座席総数ＴＸを送信し、
前記第１の券売機は、前記管理センタからの追加数ｒ２（ｍ＞ｒ２）及び同一駅発行可能座席総数ＴＸを受信し、受信した追加数ｒ２（ｍ＞ｒ２）から得られる残席数ＡＸ及び同一駅発行可能座席総数ＴＸを表示し、
前記第２の券売機は、前記管理センタからの追加数ｓ２（ｎ＞ｓ２）及び同一駅発行可能座席総数Ｔ２を受信し、受信した追加数ｓ２（ｎ＞ｓ２）から得られる残席数ＢＸ及び同一駅発行可能座席総数ＴＸを表示する（ＴＸ＝ＡＸ＋ＢＸ）、
ことを特徴とする座席券発売システム。
【請求項２】
座席券の発売状況を管理する管理センタと接続される券売機であって、
当該券売機により発売可能な予め設定された発売可能座席数Ａ０を記憶する記憶手段と、
券売機が設置される同一駅で発売可能な同一駅発行可能座席総数Ｔ０を記憶する前記管理センタに対して、発売可能座席数Ａ０を要求する要求手段と、
前記管理センタから発売可能座席数Ａ０及び同一駅発行可能座席総数Ｔ０を受信する受信手段と、
発売可能座席数Ａ０及び同一駅発行可能座席総数Ｔ０を表示する表示手段とを備え、
前記要求手段は、座席発行による発売可能座席数Ａ０の減少に基づき前記管理センタに対して発売可能座席数の追加数ｍを要求し、
前記受信手段は、前記管理センタからの追加数ｒ１（ｍ＝ｒ１）及び同一駅発行可能座席総数Ｔ０から同一駅で発行された数の総和を減算して得られる同一駅発行可能座席総数Ｔ１を受信し、
前記表示手段は、発売可能座席数Ａ０から当該券売機により発行された数を減算し追加数ｒ１（ｍ＝ｒ１）を加算して得られる発売可能座席数Ａ１及び同一駅発行可能座席総数Ｔ１を表示し、
前記要求手段は、座席発行による発売可能座席数Ａ１の減少に基づき前記管理センタに対して発売可能座席数の追加数ｍを要求し、
前記受信手段は、前記管理センタからの追加数ｒ２（ｍ＞ｒ２）及び同一駅発行可能座席総数Ｔ０から同一駅で発行された数の総和を減算して得られる同一駅発行可能座席総数ＴＸを受信し、
前記表示手段は、追加数ｒ２（ｍ＞ｒ２）から得られる残席数ＡＸ及び同一駅発行可能座席総数ＴＸを表示する、
ことを特徴とする券売機。
【発明の詳細な説明】
【０００１】
【発明の属する技術分野】
この発明は座席券の発売を管理する管理センタ（以下センタという）と、このセンタと伝送路を介して接続され、各駅に設置される複数台の座席券発売機を含むシステムに関する。
【０００２】
【従来の技術】
従来の座席券発売システムでは、発売が予想される所定数の座席数すなわち座席券をセンタから確保したい場合、駅係員は座席券発売機（以下券売機という）に設けられた所定のスイッチを操作する。すると券売機のメモリに設定されている所定の要求座席数が、伝送路を通しセンタへ送信される。センタでは、券売機より送信された要求座席数に対応する現時点の発売可能座席数を伝送路を通して券売機に送信する。この動作をＤＬＬ（down line load）と呼ぶ。
【０００３】
券売機のメモリにはセンタから受信された発売可能座席数が記憶され、更に外部表示部にその座席数が表示される。券売機はその数を基に、座席の発券を行い、発売可能座席数がある一定数より少なくなった時、再度、所定座席数をセンタに要求する。この時、外部表示部に表示される内容は、その券売機で発売可能な数のみである。
【０００４】
【発明が解決しようとする課題】
このように従来システムの場合、センタまたは駅で保持している全体の発売可能な座席数は表示されず、その時に当該券売機で発売可能な座席数のみが表示されるので、発売完了までにセンタまたは駅が保有する残りの座席数の把握、及び発売推移状態の確認を容易に行うことができない。また、センタに複数台の券売機が接続されている場合、それぞれの号機の発売可能座席数を容易に確認することは出来ない。
【０００５】
従って本発明はこのような座席券発売システムおよび券売機において、券売機へＤＬＬされた座席数表示を、当該駅の全体数とその号機分の数を共に表示することにより、その号機が全体数のどれだけの数の座席を発売出来るかを容易に認識できる券売機、およびこの券売機を用いた座席券発売システムを提供することを目的とする。
【０００６】
【課題を解決するための手段】
上記課題を解決するために本発明による座席券発売システムは、券売機により発売される座席券の発売状況を管理する管理センタと、複数箇所の駅毎に設置され、前記センタと接続され、前記センタから当該駅で発売可能な座席券の座席数を示す座席データを受信し座席券を発売する券売機とからなる座席券発売システムであって、各駅毎の券売機に送信する座席数データを予め記憶している記憶手段と、この記憶手段に記憶されている前記座席データを前記券売機に送信する送信手段と、前記券売機において発売可能な座席券の座席数を表示する表示器と、を具備する。
【０００７】
本発明による座席券発売システムは、券売機により発売される座席券の発売状況を管理する管理センタと、複数箇所の駅毎に設置され、前記センタと接続され、前記センタから当該駅で発売可能な座席券の座席数を示す座席データを受信し座席券を発売する券売機とからなる座席券発売システムであって、各駅毎の券売機に送信する座席数データを予め記憶している記憶手段と、この記憶手段に記憶されている前記座席データを前記券売機に送信する第１の送信手段と、前記券売機において発売可能な座席券の座席数を表示する表示器と、前記券売機において発売可能な座席券の座席数を前記表示器に表示させる第１の表示制御手段と、前記券売機において発売可能な座席券の座席数が所定数以下となったとき、前記管理センタにて管理されている座席券の座席数を示す座席データを前記券売機に送信する第２の送信手段と、この第２の送信手段にて送信された前記座席データを前記表示器に表示させる第２の表示制御手段とを具備する。
【０００８】
前記第２の表示制御手段は、前記管理センタで管理している前記座席データがなくなり前記第２の送信手段により前記座席データを前記券売機に送信できなくなつたとき、前記第１の表示制御手段とは異なる形態で前記座席データを表示させる手段を備えている。
【０００９】
本発明による座席券発売システムは、券売機により発売される座席券の発売状況を管理する管理センタと、複数箇所の駅毎に設置され、前記センタと接続され、前記センタから当該駅で発売可能な座席券の座席数を示す座席データを受信し座席券を発売する複数台の券売機とからなる座席券発売システムであって、各駅毎の券売機に送信する座席数データを予め記憶している記憶手段と、この記憶手段に記憶されている前記座席データを前記券売機に送信する送信手段と、同一駅の複数台の券売機において発売可能な座席券の座席数の総数を表示する表示機とを具備する。
【００１０】
本発明による座席券発売システムは、券売機により発売される座席券の発売状況を管理する管理センタと、複数箇所の駅毎に設置され、前記センタと接続され、前記センタから当該駅で発売可能な座席券の座席数を示す座席データを受信し座席券を発売する複数台の券売機とからなる座席券発売システムであって、各駅毎の複数台の券売機に送信する座席数データを予め記憶している記憶手段と、この記憶手段に記憶されている前記座席データを前記複数台の券売機に送信する第１の送信手段と、前記複数台の券売機において発売可能な座席券の座席数を表示する表示器と、前記複数台の券売機において発売可能な座席券の座席数の総数を前記表示器に表示させる第１の表示制御手段と、前記複数台の券売機において発売可能な座席券の座席数が所定数以下となったとき、前記管理センタにて管理されている座席券の座席数を示す座席データを前記複数台の券売機に送信する第２の送信手段と、この第２の送信手段にて送信された前記座席データに基づいて、前記複数台の券売機で発売可能な座席券の座席数の総数を前記表示器に表示させる第２の表示制御手段とを具備する。
【００１１】
本発明による座席券発売システムは、券売機により発売される座席券の発売状況を管理する管理センタと、複数箇所の駅毎に設置され、前記センタと接続され、前記センタから当該駅で発売可能な座席券の座席数を示す座席データを受信し座席券を発売する複数台の券売機とからなる座席券発売システムであって、前記各駅毎の複数台の券売機は、前記駅の複数台の券売機に送信すべき座席数データを予め記憶している記憶手段と、前記駅の複数台の券売機に前記記憶手段に記憶されている前記座席データを送信することを指示入力する入力手段とを備え、前記管理センタは、前記入力手段の入力に応答し、管理する座席券の座席数を示す座席データを送信する第１の送信手段とを備え、当システムは、さらに、前記駅に設けられ、当該駅の複数台の券売機において発売可能な座席券の座席数の総数を表示する表示器を備え、前記駅の複数台の券売機は、さらに、発売可能な座席券の座席数が所定数以下となったとき、前記管理センタにて管理されている座席券の座席数を示す座席データを前記複数台の券売機に送信するよう要求する座席データ送信要求手段とを備え、前記管理センタは、さらに、前記座席データ送信要求手段の要求に応答して前記座席データを送信する第２の送信手段とを備え、前記表示機は、さらに、前記第２の送信手段にて送信された前記座席データに基づいて、前記駅の複数台の券売機で発売可能な座席券の座席数の総数を表示する手段と、前記管理センタで管理している前記座席データがなくなり前記第２の送信手段により前記座席データを前記券売機に送信できなくなったとき、前記第１の表示制御手段とは異なる形態で前記座席数の総数を表示する手段とを備えている。
【００１２】
さらに本発明による座席券発売システムは、座席券の発売を管理する管理センタと、各駅に設置され、前記センタと伝送路を介して接続され、前記センタから発売可能な当該駅の座席総数および当該券売機で発売する座席数を受信する手段を有する複数台の券売機と、前記券売機が受信した前記当該駅の座席総数および当該券売機で発売する座席数を表示する表示手段とを具備する。
【００１３】
座席券発売システムに接続される券売機は、一般にその号機に割り当てられた数の座席数のみを表示させるだけであったが、本発明では、センタで保持しているＤＬＬ可能な駅全体の発売可能座席数とその時に券売機が発売可能な座席数を、同時に表示させることによって、当該座席券の発売完了までの座席数の把握と発売推移状態が確認可能となる。この発売推移状態はセンタで発売可能な全座席の表示を、ＤＬＬ時に変化させることで確認される。また、センタに複数台の券売機が接続されている場合、それぞれの号機の発売可能席数が容易に確認される。
【００１４】
【発明の実施の形態】
以下、この発明の実施の形態を図面を参照して説明する。
図１は本発明の座席券発売システムの概要を示すシステム構成図である。この座席券発売システムは、１台のセンタ２と各駅に設置される複数台の券売機１を含み、センタ２と各券売機１は伝送路３を介して接続されている。
【００１５】
図２は図１の券売機１の構成を示すブロック図である。ＣＰＵ９は本発明に従って券売機１の各部を総合的に制御するプロセッサである。ハードディスク１１には本発明によるプログラムを含む制御プログラム及び各種データが格納されている。ハードディスク１１の記憶内容は一旦補助記憶部１２へロードされ、ＣＰＵ９は補助記憶部１２へロードされたプログラムを実行する。メモリ１０はセンタ２に対する固定の要求座席数（後述される）を含むデータを記憶するための記憶部である。この要求座席数はバス６、通信インタフェース７、伝送路３を通しセンタ２へ送信される。
【００１６】
プリンタ１３は列車番号、発車時刻、座席番号等を座席券に印刷し、表示部１４は列車番号や発車時刻等の座席券を販売するときに必要な案内事項を表示する。入力部１５は販売する座席券の列車番号、枚数、行き先等を指定するためのボタンにより構成されている。外部表示部１７は座席券を購入しようとする利用客に対して、当該券売機１が現在販売できる座席券の枚数Ａ並びにその駅で販売できる座席券の枚数Ｔを表示する。従来、外部表示部１７に表示される座席数は、その券売機で発売可能な数のみであった。
【００１７】
座席データの送受信の方法について概説すると、各列車が発車したとき、係員により発車スイッチ１６が操作され、センタ２へ座席数の要求送信が行われる。センタ２へ要求する固定の座席数はメモリ１０にあらかじめ設定されている。この座席数は当該券売機１がこれから発売が予定される座席券の数である。
【００１８】
センタ２は、券売機１の係員操作により、券売機１より要求された座席数に対応する発売可能座席数と共に、その時点、その駅で発売可能な座席総数を券売機１に送信する。センタ２から送信されたデータは伝送路３、通信インタフェース７、バス６を通じて、メモリ１０に記憶される。これにより、券売機１にはセンタ２から所定の座席数が確保される。券売機１は、確保したその座席数を基に座席の発売を行い、その座席数が一定数より少なくなったのを基に、再度、座席数をセンタに要求する。
【００１９】
メモリ１０に記憶された該当券売機１で発売可能な座席数と、その駅で発売可能な座席総数は外部表示部１７へ表示される。このようにその時点、その駅で発売可能な座席総数を表示することにより、発売完了までの座席数の把握と発売推移状態を容易に確認することが出来る。
【００２０】
次に本発明の券売機１の動作を詳細に説明する。図３は図２に示す券売機１の動作を示すフローチャートである。初回設定数Ａ、追加数ｍ、座席追加発生数ｐはメモリ１０に予め記憶されている。券売機１により座席券を発売し、発売できる残り座席数が座席追加発生数ｐより少なくなると、券売機１はセンタ２へ追加数ｍを要求する。
【００２１】
先ずステップＳＴ１のように、当該券売機１が座席券の発売を処理した列車が駅から発車すると、係員により発車スイッチ１６が操作される。ステップＳＴ２では、券売機１よりセンタ２へ次の列車の指定席に対する初回設定数Ａが要求される。このときその列車の列車番号、始発駅名、発車時刻等が券売機１の通信インターフェース７及び伝送路３を介してセンタ２に送信される。又、この初回指定数Ａは基本的に次の列車に対して要求されるが、次以降の列車に対して要求してもよい。この場合は複数の列車に対して座席券の発売が可能となる。
【００２２】
次に券売機１はセンタ２から、その時点で発売可能な座席数Ａ1 と駅全体で発売可能な駅総数Ｔ1 を受信する（ステップＳＴ３）。この時、外部表示器１７へは、ステップＳＴ４のように、表示内容”Ａ1 ／Ｔ1 ”を表示する。Ａ1 は券売機１の発売可能座席数、Ｔ1 は駅総数である。
【００２３】
ステップＳＴ５のように、Ａ（初回設定数）＞Ａ1 （発売可能座席数）の時は、センタ２の残席数が少ないため、以降、センタ２に対して座席要求を行わず、ステップＳＴ１４のように外部表示器１７に”Ａn+1 ／Ｔn+1 ”を表示する。この時の表示はステップＳＴ４、ＳＴ６、ＳＴ１２とは異なる形態で行われる。つまり、表示内容は残枚数表示であり、Ａn+1 は券売機１の残席数、Ｔn+1 は駅総数である。これ以降、現状の発売可能座席数で発売完了まで発売する（ステップＳＴ１５）。
【００２４】
ステップＳＴ５においてＡ＝Ａ1 であって、ステップＳＴ６のように座席券をｃ枚発売すると、外部表示器１７に”Ａ1 −ｃ／Ｔ1 −ｃ”を表示する。”Ａ1 −ｃ”は券売機１の発売可能座席数、”Ｔ1 −ｃ”は駅総数である。ステップＳＴ８のように発売可能座席数”Ａn −ｃ”が前述の座席追加発生数ｐより小さくなったとき、券売機１はセンタ２に追加数ｍを要求する（ステップＳＴ９）。ここでｎは追加要求回数を示す。追加数ｍの要求に対して、センタ２から追加受信数ｒ、駅総数Ｔn+1 を受信する（ステップＳＴ１０）。ここでＴn+1 は、センタ２に複数台の券売機が接続される場合、前回にセンタ２から送信されたＴn から、各券売機が発売した数の総和をマイナスした数となる。また、ステップＳＴ１１では券売機１の発売可能数Ａn+1 が計算される。この時の発売可能数Ａn+1 は、前回の座席数Ａn から発売数ｃをマイナスし、追加受信数ｒをプラスした値となる。ステップＳＴ１２ではステップＳＴ１１で計算したＡn+1 と、センタ２から受信した駅総数Ｔn+1 を外部表示器１７に表示する。
【００２５】
ステップＳＴ１３のように追加数ｍの要求に対し、センタ２から受信した追加受信数ｒが小さいときは、前述したようにセンタ２に残席数が少ないので、以降、座席要求を行わず、ステップＳＴ１４のように”Ａn+1 ／Ｔn+1 ”を表示する。これ以降、現状の発売可能座席数で発売完了まで発売する（ステップＳＴ１５）。
【００２６】
ステップＳＴ１３において、追加数ｍとセンタ２から受信した追加受信数ｒとが等しく、ステップＳＴ６のように券を発売し、発売可能座席数”Ａn −ｃ”が座席追加発生数ｐより小さくなった場合は、前述の通り、追加数ｍをセンタ２に要求する。追加数ｍの要求に対し、センタ２より追加受信数ｒ、駅総数Ｔn+1 を受信し（ステップＳＴ１０）、以降、追加数ｍに対し、センタ２からの追加受信数ｒが小さくなるまで繰り返す。
【００２７】
図４は外部表示器１７の表示例を示す。図４（ａ）はステップＳＴ４、ステップＳＴ７、ステップＳＴ１２のように、センタに発売可能座席が充分あり、センタへ座席要求している時の表示内容である。それに対し図４（ｂ）は、ステップＳＴ１４のようにセンタに発売可能座席数が無く、センタへ座席要求不可になったときの表示内容であり、図４（ａ）の「発売枚数」を「残枚数」と文言変更する。
【００２８】
図５はセンタ２に接続された券売機１を１つの駅で２台設置した場合に、外部表示器１７に表示される内容を説明するための図である。
図５（ａ）のように、号機番号１及び２の各券売機で初回設定数（Ａ、Ｂ）、追加数（ｍ，ｎ）、座席追加発生数（ｐ，ｑ）が設定され、図５（ｂ）のようにセンタ２よりＤＬＬされるデータが、初回受信数（Ａ0 ，Ｂ0 ）、追加受信数  （ｒ，ｓ）、初回以降発売可能数（Ａn ，Ｂn ）となる場合、外部表示器１７の表示内容は図５（ｃ）のようになる。
【００２９】
即ち、センタ２から初回受信数Ａ0 、Ｂ0 を受信した場合、初期設定時の内容表示は、駅総数Ｔ0 に対し、各号機の券売機について（１）の表示内容になる。
一回目の座席追加座席要求発生時の内容表示は、（２）の表示内容になる。つまり、追加数ｍ、ｎの要求に対して、等しい数の追加受信数ｒ、ｓが受信された場合を示す。
【００３０】
ｎ回目の座席追加座席要求発生時の内容表示は、（３）の表示内容になる。この場合も、追加数ｍ、ｎの要求に対して、等しい数の追加受信数ｒ、ｓが受信されている。
【００３１】
更に（４）の表示内容は、ｘ回目の座席追加座席要求発生時、追加数ｍ、ｎの要求にに対して、少ない数の追加受信数ｒ、ｓが受信されされた場合を示している
【００３２】
【発明の効果】
本発明により、該当券売機で発売可能な座席数と、その駅で発売可能な座席総数を外部表示器１７へ表示することが出来、該当券売機で発売可能な座席数が、一定数以下になったのに基づき、追加座席数を要求すると共に、その時点その駅で発売可能な座席総数を表示することにより、発売完了までの座席数の把握と発売推移状態を確認することが出来る。
【図面の簡単な説明】
【図１】座席券発売システムの概要構成図。
【図２】券売機のブロック図。
【図３】残席数の表示方法を示すフローチャート。
【図４】発売座席数、駅総数の表示方法。
【図５】２台接続時の外部表示部の表示例。
【符号の説明】
１…発券端末機、
２…センタ、
３…伝送路、
４…制御部、
５…記憶部、
６…バス、
７…通信インタフェース、
８…入出力部、
９…ＣＰＵ、
１０…メモリ、
１１…ハードディスク、
１２…補助記憶部、
１３…プリンタ、
１４…表示部、
１５…入力部、
１６…発車ＳＷ、
１７…外部表示部。
【図１】
0003923597.tif 000002
【図２】
0003923597.tif 000003
【図３】
0003923597.tif 000004
【図４】
0003923597.tif 000005
【図５】
0003923597.tif 000006